(57)【要約】【課題】  携帯電話会社毎に絵文字に割り当てられた文字コードが異なるために、その絵文字を含んだ電子メールを印刷すると、絵文字部分の文字コードが解析できずに空白として印刷されてしまったり、差出人が意図した絵文字とは別の絵文字が印刷される。【解決手段】  電子メールに含まれる差出人情報或はあて先情報に基づいて、記憶されている複数の外字フォントデータセットの中から、外字コードをイメージ展開するための外字フォントデータセットを選択し（Ｓ５２）、電子メールに含まれる文字コード及び外字コードを、文字フォントメモリ、及び、その選択された外字フォントデータセットを参照してイメージデータに展開し（Ｓ５７）、その展開されたイメージデータに基づいて記録媒体に記録する。【選択図】    図５
2005157890.tif 000002
【特許請求の範囲】
【請求項１】
電子メールを受信可能な携帯機器から送出された、前記携帯機器が受信した電子メールに対応するメールデータを受信可能に構成され、前記メールデータに基づいて記録媒体に記録を行なう記録装置であって、
文字コードに対応して文字パターンを記憶する文字フォント手段と、
それぞれが外字コードに対応して外字パターンを記憶している複数の外字フォントデータセットを記憶する記憶手段と、
前記メールデータに含まれる差出人情報或はあて先情報に基づいて、前記記憶手段に記憶されている前記複数の外字フォントデータセットの中から、外字コードをイメージ展開するための外字フォントデータセットを選択する選択手段と、
前記メールデータに含まれる文字コード及び外字コードを、前記文字フォント手段及び前記選択手段により選択された外字フォントデータセットを参照してイメージデータに展開する展開手段と、
前記展開手段により展開された前記イメージデータに基づいて前記記録媒体に記録する記録手段と、
を有することを特徴とする記録装置。
【請求項２】
前記選択手段は、前記差出人情報が携帯電話から送信されたと判断した場合に、前記差出人情報に基づいて前記外字フォントデータセットを選択することを特徴とする請求項１に記載の記録装置。
【請求項３】
前記選択手段は、前記差出人情報が携帯電話以外から送信されたと判断した場合に、前記あて先情報に基づいて前記外字フォントデータセットを選択することを特徴とする請求項１に記載の記録装置。
【請求項４】
前記外字コードは、言葉、事象を絵で表現した絵文字をしている文字コードであることを特徴とする請求項１乃至３のいずれか１項に記載の記録装置。
【請求項５】
前記複数の外字フォントデータセットのそれぞれは、各携帯電話会社で特定されている絵文字パターンを記憶していることを特徴とする請求項４に記載の記録装置。
【請求項６】
携帯機器により受信した電子メールに対応するメールデータを前記携帯機器から受信して記録媒体に記録する記録装置における記録制御方法であって、
前記メールデータに含まれる差出人情報或はあて先情報に基づいて、前記記憶手段に記憶されている前記複数の外字フォントデータセットの中から、外字コードをイメージ展開するための外字フォントデータセットを選択する選択工程と、
前記メールデータに含まれる文字コード及び外字コードを、文字フォントメモリ及び前記選択工程で選択された外字フォントデータセットを参照してイメージデータに展開する展開工程と、
前記展開工程で展開された前記イメージデータに基づいて前記記録媒体に記録する記録工程と、
を有することを特徴とする記録制御方法。
【請求項７】
前記選択工程では、前記差出人情報が携帯電話から送信されたと判断した場合に、前記差出人情報に基づいて前記外字フォントデータセットを選択することを特徴とする請求項６に記載の記録制御方法。
【請求項８】
前記選択工程では、前記差出人情報が携帯電話以外から送信されたと判断した場合に、前記あて先情報に基づいて前記外字フォントデータセットを選択することを特徴とする請求項６に記載の記録制御方法。
【請求項９】
前記外字コードは、言葉、事象を絵で表現した絵文字をしている文字コードであることを特徴とする請求項６乃至８のいずれか１項に記載の記録制御方法。
【請求項１０】
前記複数の外字フォントデータセットのそれぞれは、各携帯電話会社で特定されている絵文字パターンを記憶していることを特徴とする請求項９に記載の記録制御方法。
【発明の詳細な説明】
【技術分野】
【０００１】
本発明は、例えば携帯電話、ＰＤＡ、ホストコンピュータなどの情報端末装置が受信した電子メールのデータを、インターフェースを介して受信して記録媒体に記録する記録装置及びその記録制御方法に関するものである。
【背景技術】
【０００２】
近年、携帯電話、ＰＤＡの普及に伴い電子メールの利用が大幅に増大している。携帯電話などで利用されている電子メールでは、文字だけではなく、言葉を絵で表現した絵文字なども使用可能である。更に、ＰＣから携帯電話に、その携帯電話会社に対応した絵文字含んだ電子メールを送信するようなアプリケーションも存在する。しかし、これら絵文字はＪＩＳ、シフトＪＩＳなどで規定されている文字コードに対応するものではなく、携帯電話会社ごとに、各絵文字に独自の文字コードを割り当てている。このため、異なる携帯電話会社からの電子メールを受信した場合には、その電子メールに含まれている絵文字を、差出人が意図した絵文字で表示することはできない。また、携帯電話における電子メールの普及により、携帯電話で受信した電子メールの内容を印刷することが可能なプリンタも存在する。
【０００３】
携帯電話で表示可能な絵文字を増やすための構成として、サーバ上にある絵文字ファイルを携帯電話にダウンロードすることで、内部に格納されていない新たな絵文字を電子メール等で使用可能にする構成が知られている。（例えば特許文献１）
また、携帯電話と印刷装置を接続し、メールの情報等を印刷可能とした構成が従来から知られている。（例えば、特許文献２）
【特許文献１】特開２００３−１１４８４４号公報
【特許文献２】特開２０００−３１８２７２号公報
【発明の開示】
【発明が解決しようとする課題】
【０００４】
しかしながら前述したように、携帯電話会社毎に絵文字に割り当てられた文字コードが異なるために、その絵文字を含んだ電子メールを印刷すると、絵文字部分の文字コードが解析できずに空白として印刷されてしまったり、差出人が意図した絵文字とは別の絵文字が印刷されるという虞がある。
【０００５】
特許文献１に開示されるように、新たな絵文字ファイルを登録して使用可能とする構成も想定されるが、様々な絵文字ファイルが存在する場合には、送信者と受信者とで互いの携帯電話内に同じ絵文字ファイルを所有している必要があり、互いに別な絵文字ファイルを所有していた場合には、別な絵文字が印刷されたり、空白として印刷されてしまう虞があることに変わりは無い。
【０００６】
本発明は上記問題点に鑑みてなされたもので、電子メールで使用している絵文字などの外字パターンを、本来のパターンで記録できるようにした記録装置及びその記録制御方法を提供するものである。
【課題を解決するための手段】
【０００７】
本発明に係る記録装置によれば、
電子メールを受信可能な携帯機器から送出された、前記携帯機器が受信した電子メールに対応するメールデータを受信可能に構成され、前記メールデータに基づいて記録媒体に記録を行なう記録装置であって、
文字コードに対応して文字パターンを記憶する文字フォント手段と、
それぞれが外字コードに対応して外字パターンを記憶している複数の外字フォントデータセットを記憶する記憶手段と、
前記メールデータに含まれる差出人情報或はあて先情報に基づいて、前記記憶手段に記憶されている前記複数の外字フォントデータセットの中から、外字コードをイメージ展開するための外字フォントデータセットを選択する選択手段と、
前記メールデータに含まれる文字コード及び外字コードを、前記文字フォント手段及び前記選択手段により選択された外字フォントデータセットを参照してイメージデータに展開する展開手段と、
前記展開手段により展開された前記イメージデータに基づいて前記記録媒体に記録する記録手段とを有することを特徴とする。
【０００８】
また本発明の記録装置における記録制御方法によれば、
携帯機器により受信した電子メールに対応するメールデータを前記携帯機器から受信して記録媒体に記録する記録装置における記録制御方法であって、
前記メールデータに含まれる差出人情報或はあて先情報に基づいて、前記記憶手段に記憶されている前記複数の外字フォントデータセットの中から、外字コードをイメージ展開するための外字フォントデータセットを選択する選択工程と、
前記メールデータに含まれる文字コード及び外字コードを、文字フォントメモリ及び前記選択工程で選択された外字フォントデータセットを参照してイメージデータに展開する展開工程と、
前記展開工程で展開された前記イメージデータに基づいて前記記録媒体に記録する記録工程とを有することを特徴とする。
【発明の効果】
【０００９】
本発明によれば、受信した電子メールで使用されている絵文字を特定して、その絵文字に対応したパターンで記録することにより、電子メールの内容を忠実に記録することが可能となる。
【発明を実施するための最良の形態】
【００１０】
以下、添付図面を参照して本発明の好適な実施の形態を詳細に説明する。
【００１１】
図１は、本発明の実施の形態に係るフォトダイレクトプリンタ装置（以下、ＰＤプリンタ）１０００の概観斜視図である。このＰＤプリンタ１０００は、ホストコンピュータ（ＰＣ）からデータを受信して印刷する通常のＰＣプリンタとしての機能と、メモリカードなどの記憶媒体に記憶されている画像データを直接読取って印刷したり、或いはデジタルカメラ、或は携帯電話などの通信端末（これらを含めてデータ源）からのデータを受信して印刷する機能を備えている。
【００１２】
図１において、本実施の形態に係るＰＤプリンタ１０００の外殻をなす本体は、ケース１００１、上ケース１００２、アクセスカバー１００３及び排出トレイ１００４の外装部材を有している。また、下ケース１００１は、ＰＤプリンタ１０００の略下半部を、上ケース１００２は本体の略上半部をそれぞれ形成しており、両ケースの組合せによって内部に後述の各機構を収納する収納空間を有する中空体構造をなし、その上面部及び前面部にはそれぞれ開口部が形成されている。更に、排出トレイ１００４は、その一端部が下ケース１００１に回転自在に保持され、その回転によって下ケース１００１の前面部に形成される開口部を開閉させ得るようになっている。このため、記録動作を実行させる際には、排出トレイ１００４を前面側へと回転させて開口部を開成させることにより、ここから記録シート（記録媒体）が排出可能となると共に、排出された記録済みの記録シートを順次積載し得るようになっている。また、排紙トレイ１００４には、２枚の補助トレイ１００４ａ，１００４ｂが収納されており、必要に応じて各トレイを手前に引き出すことにより、用紙の支持面積を３段階に拡大、縮小させ得るようになっている。
【００１３】
アクセスカバー１００３は、その一端部が上ケース１００２に回転自在に保持され、上面に形成される開口部を開閉し得るようになっており、このアクセスカバー１００３を開くことによって本体内部に収納されている記録ヘッドカートリッジ（不図示）或はインクタンク（不図示）等の交換が可能となる。尚、ここでは特に図示しないが、アクセスカバー１００３を開閉させると、その裏面に形成された突起がカバー開閉レバーを回転させるようになっており、そのレバーの回転位置をマイクロスイッチなどで検出することにより、アクセスカバーの開閉状態を検出し得るようになっている。
【００１４】
また、上ケース１００２の上面には、電源キー１００５が設けられている。１００７は自動給送部で、記録シートをプリンタ本体内へと自動的に給送する。１０１２は赤外線通信を行うための送受信部、背面にはパーソナルコンピュータ（ＰＣ）を接続するためのＵＳＢバスコネクタ（不図示）が装備されている。
【００１５】
次に図２を参照して、本実施の形態に係るＰＤプリンタ１０００の制御に係る主要部の構成を説明する。
【００１６】
図２は、本実施の形態に係るＰＤプリンタ１０００の主要部の機能構成を説明するブロック図である。
【００１７】
図において、２０１は携帯電話で、このＰＤプリンタ１０００とは別体であり、インターフェース部２０３を介して、このＰＤプリンタ１００に電子メールなどのデータを供給する。２０２は制御部で、マイクロプロセッサ等のＣＰＵ２０２ａ、ＲＡＭ２０２ｂ，ＣＰＵ２０２ａにより実行される制御プログラムを記憶するプログラムメモリ２０２ｃ等を有し、その制御プログラムに従って本実施の形態に係るＰＤプリンタ１０００全体の制御を司る。２０３はインターフェース部で、Bluetooth、IrDA、USB等のインターフェースが接続されている。尚、このインターフェース部２０３には、ここに記述した以外のインターフェースが接続されても良いことは明らかである。このインターフェース部２０３は、電子メールの受信が可能な携帯機器である携帯電話２０１のような外部機器とＰＤプリンタ１０００との接続を司り、携帯電話２０１が送信したデータは、インターフェース部２０３によって受信され、インターフェース制御部２０４を介して、制御部２０２、受信バッファ２０５に転送される。文字フォントテーブル２０６は、通常の文字コードに対応する文字パターンを示すビットマップデータを、各文字コードに対応して不揮発に格納している。外字フォントテーブル２０７は、メールアドレス、或は携帯電話の機種或は電話会社などに対応して、各外字コードに対応した絵文字パターンを示す複数のビットマップデータを不揮発に格納している。プリントバッファ２１２は、一回の印刷に必要となる量のプリントデータを格納するためのバッファであり、制御部２０２によって受信バッファ２０５から読み出された受信データがプリントデータに変換されて順次格納されていく。印刷制御部２１３は、記録ヘッド２１４への印刷データの転送を司り、制御部２０２からの印刷制御信号に応じてプリントバッファ２１２からプリントデータを読み出し、所定の駆動タイミングに則って記録ヘッド２１４に転送することにより、プリントデータに従って画像が印刷される。尚、本実施の形態では、絵文字パターンのコードを外字コードとし、そのパターンを外字フォントとしているが、これは、例えばＪＩＳ規格で規定された文字コード以外のコード及びパターンであることを意味している。
【００１８】
以上の構成において、制御部２０２は、記録ヘッド２１４による印刷及びＣＲ（キャリッジ）モータ２１０、ＬＦ（搬送）モータ２１１の回転を制御し、記録シート（記録媒体）上にプリントデータに応じた画像を形成していく。
【００１９】
以下、本実施の形態の特徴について詳しく説明する。
【００２０】
図３は、本実施の形態に係るＰＤプリンタ１０００の使用環境を説明する図である。
【００２１】
携帯電話３００やＰＣ３０１から受信した電子メールを携帯電話２０１で受信し、赤外線通信（IrDA）３０２経由でＰＤプリンタ１０００に送信して印刷を実行する。この赤外線通信方式は、IrDA（Infrared Data Association）により規格化されている。更に、携帯端末用の赤外線通信規格であるIrMC（Infrared Mobile Communications）や赤外線オブジェクト交換プロトコルであるIrOBEX（IrDA Object Exchange）がある。IrMCでは、電子メール、電話帳、スケジュールやvMessage，vCard，vCalenderといった標準フォーマットでデータを交換することが規定されている。なお、携帯電話のような携帯機器がインターネットを介して受信する電子メールと、携帯機器からプリントのために上述のようなフォーマットで送られる電子メール（もしくは電子メールに対応したデータ）とを区別するために、携帯機器からプリンタへ送信される電子メールを、以下、メールデータとも称する。
【００２２】
図４は、例えばIrMCにおけるvMessageのフォーマットを説明する図である。このvMessageは、以下に説明する構造でテキスト文字列として記述される。
【００２３】
まず、vMessageとしての情報が以下に記述されることを示す先頭の「BEGIN：VMSG」によって、この記述が開始され、vMessageとしての情報の記述が終了したことを示す「END：VMSG」によって終了する。この間に記述される情報は、「BEGIN：VBODY」で開始されており、これに続いて各項目の意味が記述され、コロン「：」以下に、その項目の情報が記述されるようになっている。
【００２４】
この電子メールの差出人のメールアドレスを示す項目は「FROM：」で識別され、コロン以下の文字列が、差出人のメールアドレス（図４の例では「△△△＠○○○○」）を示している。以下同様に、「DATE：」は日付を示す項目であり、「TO：」は、あて先メールアドレス示す項目であり、「SUBJECT：」は、この電子メールの表題を示す項目である。その後に、電子メールの本文が記述されている。そして「END：VBODY」により、本文の終了が記述されている。
【００２５】
図５は、本実施の形態に係るＰＤプリンタ１０００において、携帯電話２０１から電子メールを受信して印刷する処理の流れを説明するフローチャートである。この処理を実行するプログラムは、前述のプログラムメモリ２０２ｃに記憶されている。
【００２６】
携帯電話２０１からIrOBEXを使用して、vMessage形式でメールデータをＰＤプリンタ１０００に赤外線で送信することにより、このデータがＰＤプリンタ１０００で受信される（ステップＳ５０）。これによりＰＤプリンタ１０００は、ステップＳ５１で、そのvMessageを受信バッファ２０５に格納し、そのデータ含まれる電子メールの情報内のvMessageのテキスト文字列を解析する。ここでは「BEGIN：VMSG」で始まるテキスト文字列を発見すると、差出人のメールアドレスを示す「FROM：」を検索し、コロン以下の文字列を解析する。そして、その電子メールが携帯電話２０１から送信されたものであるかどうかを判定し、そうであれば、その電子メールに含まれる絵文字が、その電子メールを送信した携帯電話２０１の電話会社で定義されているものなので、ステップＳ５１で得られた差出人のメールアドレスを基に、外字フォントテーブル２０７の、どの外字フォントデータセットにアクセスするかを決定する（ステップＳ５２）。
【００２７】
またステップＳ５２では、この電子メールが携帯電話以外から送信されたものであると判断した場合は、例えばＰＣ３０１のアプリケーションなどで作成された送信先の携帯電話会社で定義されている絵文字を含んだ電子メールである可能性が高いので、「TO：」以降のあて先メールアドレスを基に、外字フォントテーブル２０７のアクセスするフォントデータセットを決定する。この処理は図８のフローチャートを参照して、より詳しく説明する。
【００２８】
図７（Ａ），（Ｂ）は、本実施の形態に係るＰＤプリンタ１０００の外字フォントテーブル２０７のデータ構成を説明する図である。
【００２９】
図７（Ａ），（Ｂ）に示すように、このＰＤプリンタ１０００は、各メールアドレスに対応した外字フォントデータセットを複数持っており、各外字フォントデータセットでは、各外字コードに対応した絵文字イメージをビットマップ形式で保有している。例えば、図７（Ａ）は、差出人のメールアドレスが「○○○＠aaaaaa」に対応する外字フォントデータセット１を示している。ここでは外字コードが「F8A0」であれば曇りマーク、外字コードが「F8EE」であれば、ハートマークの絵文字が対応している。
【００３０】
また図７（Ｂ）は、差出人のメールアドレスが、図７（Ａ）とは別の「△△△＠bbbbbb」に対応する外字フォントデータセット２を示している。これによれば、外字コードが「F8A0」であればハートマーク、外字コードが「F8EE」であれば、テレビマークが対応している。
【００３１】
このように、外字コードが例え同一であっても、そのメールを発信した差出人のメールアドレスに応じて異なる絵文字が表示或は出力されることになる。
【００３２】
次にステップＳ５３に進み、「FROM：」項目の文字列の文字コード（通常の文字コード）を、文字フォントテーブル２０６を参照してビットマップ形式の文字イメージに変換する。ステップＳ５４では「DATE：」項目の文字コードを、ステップＳ５５では、「TO：」項目の文字コードを、ステップＳ５６では「SUBJECT：」項目の文字コードを、そしてステップＳ５７では、本文の文字コードを、それぞれ文字フォントテーブル２０６、或は必要に応じて，ステップＳ５２で決定された外字フォントテーブル２０７のフォントデータセットを参照してビットマップ形式の文字イメージに変換する。そして「END：VMSG」が発見されると、その電子メールをビットマップ形式の文字イメージに変換したイメージデータに基づいてプリントデータを作成し記録媒体に印刷する（ステップＳ５８）。
【００３３】
図６は、本実施の形態に係るＰＤプリンタ１０００において、文字コードをビットマップ形式の文字イメージに変換する処理を示すフローチャートで、この処理を実行するプログラムはプログラムメモリ２０２ｃに記憶されている。
【００３４】
先ずステップＳ６１で、電子メールに含まれる文字コードを解析し、ステップＳ６２で、その文字コードが文字フォントテーブル２０６に登録されているかどうかを判定する。文字フォントテーブル２０６に登録されている場合は通常の文字コードであるためステップＳ６３に進み、その文字フォントテーブル２０６を参照して、その文字コードをビットマップ形式の文字イメージに変換する。
【００３５】
一方、ステップＳ６２で、その文字コードが文字フォントテーブル２０６に登録されていないと判断するとステップＳ６４に進み、前述したように、差出人のメールアドレスに基づいて決定した外字フォントテーブル２０７のフォントデータセットを参照し、その外字コードに対応したビットマップ形式の絵文字に変換する。
【００３６】
こうしてステップＳ６３或はステップＳ６５を実行するとステップＳ６６に進み、その電子メールの全文字コードをビットマップ形式のイメージデータに展開したかを調べ、全ての展開処理が終了していないときはステップＳ６１に戻って前述の処理を繰り返し実行する。こうして、電子メールの全文字コードをビットマップ形式のイメージデータに展開すると、ステップＳ６７に進み、この処理を終了する。
【００３７】
図８は、本実施の形態に係るＰＤプリンタ１０００において、受信したメールに含まれる文字コードを文字パターンに展開する際に使用する外字フォントデータセットを決定する処理を説明するフローチャートで、この処理を実行するプログラムはプログラムメモリ２０２ｃに記憶されている。
【００３８】
ステップＳ８１では、受信したメールの差出人情報を取得する。これは前述のステップＳ５１で説明したように、差出人のメールアドレスを示す「FROM：」を検索し、コロン以下の文字列を取得するものである。次にステップＳ８２では、ステップＳ８１で取得したメールアドレスに基づいて、そのメールの差出人が携帯電話から送信したのか、或はＰＣなどの情報端末から送信したのかを判定する。この判定は、例えばメールアドレスに含まれる携帯電話会社に特有の文字列、或は「＠」以降の文字列により判定することができる。こうして携帯電話からの送信であると判定した場合はステップＳ８３に進み、その差出人が所有している携帯電話の電話会社を識別し、ステップＳ８４で、その識別した電話会社に対応する外字フォントデータセットを、外字フォントテーブル２０７の中から選択する。
【００３９】
一方、ステップＳ８２で、そのメールの差出人がＰＣなどの情報端末から送信したと判断するとステップＳ８５に進み、今度は、そのメールのあて先情報（「TO:」以降）を取得する。これは前述したように、各種携帯電話会社用の電子メールを編集作成できるアプリケーションプログラムが普及しているため、ＰＣ３０１等において、このようなアプリケーションで作成され、その電子メールのあて先の携帯電話で定義されている絵文字を含んだ電子メールである可能性が高いためである。そしてステップＳ８６に進み、その取得したあて先に対応する外字テーブルを選択する。こうしてステップＳ８４或はＳ８６を実行した後ステップＳ８７に進み、その選択した外字フォントデータセットをＲＡＭ２０２ｂに記憶する。
【００４０】
図９（Ａ），（Ｂ）は、この外字フォントテーブル２０７の構成（Ａ）、及び、図８のステップＳ８７でＲＡＭ２０２ｂに記憶する情報を説明する図である。
【００４１】
図９（Ａ）に示すように、外字フォントテーブル２０７は、各携帯電話会社用の外字フォントデータセットを、それぞれ各会社毎に、各外字コードに対応して文字パターンを記憶している（図７参照）。２０７ａ〜２０７ｃは、それぞれ携帯電話会社Ａ〜Ｃ用の外字フォントデータセットを示している。
【００４２】
図９（Ｂ）は、ステップＳ８７で、選択された携帯電話会社用の外字フォントデータセットの先頭アドレスと、その最終アドレスをＲＡＭ２０２ｂに記憶した状態を示している。よって、例えば携帯電話会社Ａ用の外字フォントデータセット２０７ａが選択された場合には、先頭アドレス９００には「ＸＸ」が、最終アドレス９０１には「ＹＹ−１」がそれぞれ記憶される。
【００４３】
これにより、前述の図６のステップＳ６４では、この外字フォントデータセットの先頭アドレス９００に記憶されている、外字フォントテーブル２０７のアドレスから、そのメールに含まれる外字コードをサーチすることで、その外字コードに対応するイメージデータを得ることができる。尚、外字フォントデータセットの最終アドレス９０１までサーチしても、対応する外字コードが得られない場合には、その外字を、空白或は所定のパターンに展開して、対応する外字（絵文字）パターンが外字フォントテーブル２０７に記憶されていないことをユーザに通知する。
【００４４】
［他の実施の形態］
本発明は、上述した実施の形態の機能を実現するソフトウェアのプログラムをコンピュータ又はＣＰＵに供給し、そのコンピュータ又はＣＰＵが該供給されたプログラムを読出して実行することによって、その目的を達成することができる。
【図面の簡単な説明】
【００４５】
【図１】本発明の実施の形態に係るＰＤプリンタの概観斜視図である。
【図２】本実施の形態に係るＰＤプリンタの制御に係る主要部の構成を示すブロック図である。
【図３】本実施の形態に係るＰＤプリンタの一使用例を説明する図である。
【図４】vMessageのフォーマットを説明する図である。
【図５】本実施の形態に係るＰＤプリンタにおいて、携帯電話から電子メールを受信して印刷する処理の流れを説明するフローチャートである。
【図６】本実施の形態に係るＰＤプリンタにおいて、文字コードをビットマップ形式の文字イメージに変換する処理を示すフローチャートである。
【図７】本実施の形態に係るＰＤプリンタの外字フォントテーブルのデータ構成を説明する図である。
【図８】本実施の形態に係るＰＤプリンタにおいて、受信したメールに含まれる文字コードを文字パターンに展開する際に使用する外字フォントテーブルを決定する処理を説明するフローチャートである。
【図９】本実施の形態に係る外字フォントテーブルの構成（Ａ）、及び、図８のステップＳ８７でＲＡＭに記憶する情報（Ｂ）を説明する図である。
【図１】
2005157890.tif 000003
【図２】
2005157890.tif 000004
【図３】
2005157890.tif 000005
【図４】
2005157890.tif 000006
【図５】
2005157890.tif 000007
【図６】
2005157890.tif 000008
【図７】
2005157890.tif 000009
【図８】
2005157890.tif 000010
【図９】
2005157890.tif 000011